(57)【要約】【課題】刈取対象の茎稈を切断する横向き刈刃装置と、刈取対象の茎稈と未刈側の茎稈との絡み付きを切断分離する縦向き刈刃装置を備えた汎用コンバインにおいて、縦向き刈刃によって切断された茎稈の収穫損失を低減させる。【解決手段】刈取対象の茎稈を掻き込む掻込タイン（３）を備えた掻込リール（４）と、掻込リール（４）で掻き込まれた茎稈を切断する左右方向の横向き刈刃装置（５）と、刈取対象の茎稈と刈取対象外の茎稈とを切断分離する上下方向の縦向き刈刃装置（１７）を備えた汎用コンバインにおいて、掻込リール（４）の左右一側部には、この掻込リール（４）における外周側の部位から未刈側に向けて突設し、縦向き刈刃（１７）によって切断された茎稈を掻き落とす複数の掻き落し具（１８）を設ける。【選択図】      図３
2014068549.tif 000002
【特許請求の範囲】
【請求項１】
刈取対象の茎稈を掻き込む掻込タイン（３）を備えた掻込リール（４）と、該掻込リール（４）で掻き込まれた茎稈を切断する左右方向の横向き刈刃装置（５）と、刈取対象の茎稈と刈取対象外の茎稈とを切断分離する上下方向の縦向き刈刃装置（１７）を備えた汎用コンバインにおいて、前記掻込リール（４）の左右一側部には、この掻込リール（４）における外周側の部位から未刈側に向けて突設し、縦向き刈刃（１７）によって切断された茎稈を掻き落とす複数の掻き落し具（１８）を設けたことを特徴とする汎用コンバイン。
【請求項２】
前記掻き落し具（１８）は、多数の掻込タイン（３）を備えた左右方向のスラットバー（１９）の左右一端部から突設してある請求項１記載の汎用コンバイン。
【請求項３】
前記掻き落し具（１８）は、縦向き刈刃（１７）に対して刈幅の内側に偏倚し、掻込リール（４）の回転域の前部側ではリール支持アーム（２１）に干渉せず、掻込リール（４）の回転域の後部側ではリール支持アーム（２１）に干渉する位置に配置してある請求項１又は請求項２記載の汎用コンバイン。
【請求項４】
前記掻き落し具（１８）を丸棒状の弾性体で構成した請求項１又は請求項２又は請求項３記載の汎用コンバイン。
【請求項５】
前記掻き落し具（１８）を、掻込リール（４）の回転軸芯方向に伸縮可能に構成すると共に、リール支持アーム（２１）との干渉によって短縮される構成とした請求項１又は請求項２又は請求項３記載の汎用コンバイン。
【発明の詳細な説明】
【技術分野】
【０００１】
この発明は、稲麦や菜種等の茎稈を刈り取って収穫する汎用コンバインに関する。
【背景技術】
【０００２】
従来、汎用コンバインにおいて、刈取対象の茎稈を切断処理する横向きの主刈刃装置に対し、刈取対象の茎稈と未刈側の茎稈との絡み付きを分離する手段として、その絡み付いた茎稈を積極的に切断分離する上下方向に沿う縦向き刈刃装置を備えた構成のものが知られている（例えば、特許文献１参照）。
【先行技術文献】
【特許文献】
【０００３】
【特許文献１】特開２０１０−６３４４３号公報
【発明の概要】
【発明が解決しようとする課題】
【０００４】
上記従来構成のものでは、縦向き刈刃によって切断された茎稈は、切断後、未刈側と刈幅の内側とに分離されるが、稈長が長い菜種等の茎稈は未刈側へこぼれる量が多くなり、多大な収穫損失となっていた。
【課題を解決するための手段】
【０００５】
この発明は、上記課題を解決すべく次のような技術的手段を講じた。
すなわち、請求項１記載の発明は、刈取対象の茎稈を掻き込む掻込タイン（３）を備えた掻込リール（４）と、該掻込リール（４）で掻き込まれた茎稈を切断する左右方向の横向き刈刃装置（５）と、刈取対象の茎稈と刈取対象外の茎稈とを切断分離する上下方向の縦向き刈刃装置（１７）を備えた汎用コンバインにおいて、前記掻込リール（４）の左右一側部には、この掻込リール（４）における外周側の部位から未刈側に向けて突設し、縦向き刈刃（１７）によって切断された茎稈を掻き落とす複数の掻き落し具（１８）を設けたことを特徴とする汎用コンバインとする。
【０００６】
穂先側で絡み付いた刈取対象の茎稈と刈取対象外の茎稈は、上下方向の縦向き刈刃（１７）によって切断分離される。そして、その切断分離された茎稈は、掻込リール（４）の左右一側部に設けられた掻き落し具（１８）により、刈幅の内側へ積極的に掻き落され、収穫損失が低減される。
【０００７】
請求項２記載の発明は、前記掻き落し具（１８）は、多数の掻込タイン（３）を備えた左右方向のスラットバー（１９）の左右一端部から突設してある請求項１記載の汎用コンバインとする。
【０００８】
掻き落し具（１８）の支持部材として、既存のスラットバーを利用することで構成が簡素化される。
請求項３記載の発明は、前記掻き落し具（１８）は、縦向き刈刃（１７）に対して刈幅の内側に偏倚し、掻込リール（４）の回転域の前部側ではリール支持アーム（２１）に干渉せず、掻込リール（４）の回転域の後部側ではリール支持アーム（２１）に干渉する位置に配置してある請求項１又は請求項２記載の汎用コンバインとする。
【０００９】
上記構成によると、掻込リール（４）の回転域の前部側で縦向き刈刃（１７）によって切断分離された茎稈を掻き込み、掻き落し具（１８）に絡んだ茎稈は、掻込リール（４）の回転域の後部側でリール支持アーム（２１）と干渉する際に削ぎ落され、刈幅内に取り込むことができる。
【００１０】
請求項４記載の発明は、前記掻き落し具（１８）を丸棒状の弾性体で構成した請求項１又は請求項２又は請求項３記載の汎用コンバインとする。
上記構成によると、掻き落し具（１８）が丸棒状であるため、切断された茎稈の絡み付きが少なく、また、絡み付いても弾性体でできているため、リール支持アーム（２１）との接触によって確実に擦り落すことができる。
【００１１】
請求項５記載の発明は、前記掻き落し具（１８）を、掻込リール（４）の回転軸芯方向に伸縮可能に構成すると共に、リール支持アーム（２１）との干渉によって短縮される構成とした請求項１又は請求項２又は請求項３記載の汎用コンバインとする。
【００１２】
上記構成によると、掻き落し具（１８）がリール支持アーム（２１）に干渉すると、掻き落し具（１８）は刈幅の内側に向けて短縮し、不干渉時には刈幅の外側に向けて伸長する。
【００１３】
従って、リール支持アーム（２１）に対する干渉時の摩耗や負荷が軽減され、掻き落し具（１８）への茎稈の絡み付きもより確実に除去される。
【発明の効果】
【００１４】
請求項１記載の発明によれば、縦向き刈刃（１７）で切断分離された茎稈を掻込リール（４）の横側方に設けられた掻き落し具（１８）により、刈幅の内側へ積極的に掻き落すことができ、ヘッドロスを低減することができる。
【００１５】
請求項２記載の発明によれば、請求項１記載の効果に加えて、掻き落し具（１８）の支持部材として、既存のスラットバーを有効利用できるので支持構成が簡素化できる。
請求項３記載の発明によれば、請求項１又は請求項２記載の効果に加えて、掻き落し具（１８）に絡んだ茎稈を、リール支持アーム（２１）との干渉時に削ぎ落すことができ、刈幅内に取り込むことができる。
【００１６】
請求項４記載の発明によれば、請求項１又は請求項２又は請求項３記載の効果に加えて、掻き落し具（１８）が丸棒形状であるため、被切断物の絡み付きが少なく、また、絡み付いても弾性体でできているため、リール支持アーム（２１）との接触によって確実に擦り落すことができる。
【００１７】
請求項５記載の発明によれば、請求項１又は請求項２又は請求項３又は請求項４記載の効果に加えて、掻き落し具（１８）が伸縮自在であり、リール支持アーム（２１）との干渉によって短縮されるため、リール支持アーム（２１）に対する干渉時の摩耗や負荷を軽減することができ、掻き落し具（１８）への絡み付きも確実に除去することができる。
【図面の簡単な説明】
【００１８】
【図１】汎用コンバインの側面図
【図２】刈取前処理部の側面図
【図３】同上要部の平面図
【図４】同上要部の平面図
【図５】刈取前処理部の側面図
【図６】汎用コンバインの背面図
【図７】同上要部の側面図
【発明を実施するための形態】
【００１９】
この発明の実施例を図面に基づき説明する。
図１は、圃場に立毛する稲麦や菜種等の作物茎稈を自走しながら刈り取って収穫する汎用コンバインを示すものであり、下部に左右一対の走行クローラ２，２を備えた車体１の前側には、作物茎稈を後方に掻き込む掻込タイン３を備えた掻込リール４と、掻込後の茎稈を切断するバリカン式の横向き刈刃装置５と刈取後の茎稈をテーブル６上に掻き込む掻込オーガ７等からなる刈取前処理部８を備えている。
【００２０】
刈取前処理部８の左側から後方にわたって装備されたフィーダハウス１０内には、刈取前処理部からの作物茎稈を受け継いで後方上方に揚上搬送して脱穀部９内に供給するフィードコンベア１１が装備されている。フィーダハウス１０の右側には、運転席や操作ボックス等からなる運転操作部を取り囲むように覆うキャビン１２が装備され、キャビン１２の後方には収穫物を一時的に貯留するグレンタンク１３が設置されている。
【００２１】
刈取前処理部８には、テーブル６と、テーブル６の左右端に側枠板１４，１４を備えた刈取前処理フレーム１５が設けられており、側枠板１４の前部に分草具１６が装備されている。左右の側枠板１４，１４間にわたって前記横向き刈刃装置５が装着配備され、未刈側となる機体左側の側枠板１４の外側には、刈取対象の茎稈と未刈側の茎稈との絡み付きを切断分離する縦向き刈刃装置１７が上下方向に沿う縦向き姿勢で配備されている。
【００２２】
前記掻込リール４の未刈側の横側部には、この掻込リール４における外周側の部位から外側方（未刈側）に向けて突設し、縦向き刈刃１７からの被切断物（茎稈の穂先側部分）を下方に向けて積極的に掻き落す数個の掻き落し具１８，１８，１８…が設けられている。
【００２３】
各掻き落し具１８は、丸棒状に形成され、弾性体によって弾性変位可能に構成されている。また、この掻き落し具１８は、掻込リール４の掻込タイン３を備えた左右横方向に平行なスラットバー１９から突設されてあり、スプリング２０を介して軸芯方向に伸縮移動可能（出入り可能）に構成されている。更に、この掻き落し具１８は、左右方向で縦向き刈刃１７位置に対して刈幅の内側方向へ偏倚した位置に配置されるように、突出長さを短くしてあり、掻込リール４の回転駆動時には、掻込リール４の回転域の前部側では掻込リール４を回転駆動可能に軸支するリール支持アーム２１に干渉せず、掻込リール４の回転域の後部側ではリール支持アーム２１に干渉するように構成されている。掻き落し具１８がリール支持アーム２１に干渉することによって軸芯方向に伸縮するように構成されている。
【００２４】
縦向き刈刃装置１７は、図５に示すように、固定受刃１７ａと、この固定受刃１７ａに対して上下に往復動する可動刃１７ｂとからなり、上記横向き刈刃と同様にバリカン式に構成されている。また、この図５例では、クランク回転するクランク状回転体２３、上下方向に往復動する刈刃駆動ロッド２４、上下に往復揺動する刈刃駆動アーム２５によって縦向き刈刃１７の可動刃を往復動させるように連動構成してあり、そして、この縦向き刈刃１７は、作物条件等により縦向き刈刃の作用角度が任意変更できるように、前記刈刃駆動アーム２５のアーム軸２６を支点として前後に回動固定自在に構成している。このように縦向き刈刃の作用角度を任意変更しても、縦向き刈刃の下端側が分草具や案内部材より下方に位置するよう構成しておくことが望ましい。つまり、縦向き刈刃の作用角度をいかなる角度に変更しても前方に位置する分草具によって縦向き刈刃上に作物が案内されて確実に切断分離されることになる。なお、縦向き刈刃を分草具１６の後傾斜方向に平行する位置まで回動させたときが刈刃の収納姿勢状態とする。
【００２５】
縦向き刈刃を必要としない作業では、上記のように縦向き刈刃を取り外すことなく収納位置まで回動させて固定するが、この場合には安全カバーで刈刃を覆うようにすることが望ましい。
【００２６】
図６及び図７例は、汎用コンバインにおいて、機体後方のコンデンサを支持する脱穀側フレーム２７にラダー２８，２８機能をもたせた梯子枠構成とし、排出オーガ２９の長さ方向に取手３０を設けた構成としている。ラダーとして上がったとき、脱穀側フレームに近い側が高いため、脱穀部９側へ渡る際、手に持って渡れ安全である。また、排出オーガに設けた取手により、脱穀部上及びラダーへの乗り移りにより安全性を増すことができる。
【符号の説明】
【００２７】
３    掻込タイン
４    掻込リール
１７    縦向き刈刃装置
１８    掻き落し具
１９    スラットバー
２１    リール支持アーム
【図１】
2014068549.tif 000003
【図２】
2014068549.tif 000004
【図３】
2014068549.tif 000005
【図４】
2014068549.tif 000006
【図５】
2014068549.tif 000007
【図６】
2014068549.tif 000008
【図７】
2014068549.tif 000009